(57)【要約】【課題】低背化したＦＰＣ用コネクタを提供する。【解決手段】コネクタ１０は、ＦＰＣ１の一方の面１１に露出された複数の導体パターンをプリント基板９ｐに向って略垂直方向に移動することで、プリント基板９ｐに実装された相手側コネクタ３と電気的に接続できる。コネクタ１０は、第１係合板２を備える。第１係合板２は、ＦＰＣ１の他方の面１２に主面部２ｍを固定している。又、第１係合板２は、一対の第１折り曲げ片２１・２１を有する。一対の第１折り曲げ片２１・２１は、ＦＰＣ１の端末の幅方向に延び、他方の面１２から一方の面１１の方向に向って屈曲している。一対の第１折り曲げ片２１・２１は、相手側コネクタ３の両側面に設けた一対のランス３４ｒ・３４ｒに係止自在な開口２１ｈを有する。【選択図】図２
2016134265.tif 000002
【特許請求の範囲】
【請求項１】
帯状に延びるＦＰＣの端末の一方の面に露出された複数の導体パターンをプリント基板の一方の面に向って略垂直方向に移動することで、前記プリント基板に実装された平板状の相手側コネクタと電気的に接続自在なＦＰＣ用コネクタであって、
前記ＦＰＣの端末の一方の面と反対側の他方の面に主面部を固定した帯状の第１係合板を備え、
前記第１係合板は、前記ＦＰＣの端末の幅方向に延び、前記他方の面から前記一方の面の方向に向って屈曲した一対の第１折り曲げ片を有し、
一対の前記第１折り曲げ片は、前記相手側コネクタの両側面に係止自在な係止手段を有する、ＦＰＣ用コネクタ。
【請求項２】
前記相手側コネクタは、一対の前記第１折り曲げ片がスライド自在なランスを両側面に有し、
前記係止手段は、前記ランスが係合自在な矩形の開口で構成している請求項１記載のＦＰＣ用コネクタ。
【請求項３】
前記第１係合板は、ハンダ接合自在な金属板からなり、
前記主面部は、前記ＦＰＣの他方の面に接着された複数の銅箔にハンダ接合されている請求項１又は２記載のＦＰＣ用コネクタ。
【請求項４】
帯状に延びるＦＰＣの端末の一方の面に露出された複数の導体パターンをプリント基板の一方の面に向って略垂直方向に移動することで、前記プリント基板に実装された平板状の相手側コネクタと電気的に接続自在なＦＰＣ用コネクタであって、
前記ＦＰＣの端末の一方の面と反対側の他方の面に主面部を当接自在な帯状の第２係合板を備え、
前記第２係合板は、
前記主面部の板厚面に向って部分的に延びた後に、前記主面部に向かってＵ字状に反転し、前記ＦＰＣの端末を挟持する複数のクリップ片と、
前記ＦＰＣの端末の幅方向に相反する向きに延び、互いに外側に湾曲した一対の第２折り曲げ片を有し、
前記相手側コネクタは、一対の前記第２折り曲げ片に嵌合自在な突条を両側面に有する、ＦＰＣ用コネクタ。
【請求項５】
帯状に延びるＦＰＣの端末の一方の面に露出された複数の導体パターンをプリント基板の一方の面に向って略垂直方向に移動することで、前記プリント基板に実装された平板状の相手側コネクタと電気的に接続自在なＦＰＣ用コネクタであって、
前記ＦＰＣの端末の一方の面と反対側の他方の面に主面部を接着した第３係合板を備え、
前記第３係合板は、前記ＦＰＣの端末の幅方向に相反する向きに延び、互いに外側に湾曲した一対の第３折り曲げ片を有し、
前記相手側コネクタは、一対の前記第３折り曲げ片に嵌合自在な突条を両側面に有する、ＦＰＣ用コネクタ。
【請求項６】
前記相手側コネクタは、基端部をハウジングに片持ち支持し、先端部が前記ＦＰＣの導体パターンに接触自在な板ばね状のコンタクトを有する請求項１から５のいずれかに記載のＦＰＣ用コネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの平形柔軟ケーブルを硬質のプリント基板（いわゆる、リジッド基板）に電気的に接続させるためのコネクタに関する。本明細書は、平形柔軟ケーブルを総称してＦＰＣと呼称することとし、本発明は、特に、ＦＰＣの端末に露出された導体パターンをプリント基板に設けた相手側コネクタとプリント基板の面と垂直方向から係脱自在なＦＰＣ用コネクタの構造に関する。
【背景技術】
【０００２】
ＦＰＣは、電子部品を実装でき、柔軟性を有するプリント基板として使用できる。又、ＦＰＣは、可撓性を有すると共に薄型化できることから、近年では、複数の電線を絶縁被覆して集合したフラットケーブルに換えて、複数の導体パターンを平面上に配置したフレキシブルケーブルとして、携帯電話機の内部又はパソコンの内部に使用している。
【０００３】
平形柔軟ケーブルとしてのＦＰＣとリジッドなプリント基板を電気的に接続するＦＰＣ用コネクタとしては、ＦＰＣを取り付けるときの位置決めを良好にできるＦＰＣ用コネクタが開示されている（例えば、特許文献１参照）。
【先行技術文献】
【特許文献】
【０００４】
【特許文献１】特開２０００４−３１１２０４号公報
【発明の概要】
【発明が解決しようとする課題】
【０００５】
図１２は、従来技術によるＦＰＣ用コネクタの縦断面図であり、図１２（Ａ）は、カバーを閉じた状態図、図１２（Ｂ）は、カバーを開いた状態図である。図１３は、従来技術によるＦＰＣ用コネクタの縦断面図であり、図１３（Ａ）は、カバーを開いた状態でＦＰＣを挿入する途中の状態図、図１３（Ｂ）は、カバーを開いた状態でＦＰＣを挿入した状態図、図１３（Ｃ）は、ＦＰＣを挿入した後にカバーを閉じた状態図である。
【０００６】
なお、本願の図１２は、特許文献１の図２に相当し、本願の図１３は、特許文献１の図３に相当している。
【０００７】
図１２又は図１３を参照すると、従来技術によるＦＰＣ用コネクタ（以下、コネクタと略称する）９は、直方体状のハウジング９１と平板状のカバー９２を備えている。又、コネクタ９は、複数の第１コンタクト９３と複数の第２コンタクト９４を備えている。ハウジング９１は、ＦＰＣ９ｆが挿抜自在な凹部９０を有している。カバー９２は、凹部９０を開閉自在にハウジング９１と連結している。
【０００８】
図１２又は図１３を参照すると、第１コンタクト９３は、ハウジング９１の内部に並列配置されている。同様に、第２コンタクト９４は、ハウジング９１の内部に並列配置されている。第１コンタクト９３と第２コンタクト９４は、交互に配置されている。
【０００９】
図１３を参照すると、第１コンタクト９３は、第１固定アーム９３１、第１弾性アーム、及び第２弾性アーム９３３を備えている。第１固定アーム９３１は、ハウジング９１に固定している。第１弾性アーム９３２は、基端部が第１固定アーム９３１から分岐し、先端部側が凹部９０に向かって延出している。第２弾性アーム９３３は、基端部が第１固定アーム９３１から分岐し、第２弾性アーム９３３と略平行に配置されている。
【００１０】
図１２を参照すると、第２コンタクト９４は、第２固定アーム９４１、第３弾性アーム９４２、及び連結脚９４３を備えている。第２固定アーム９４１は、基端部側をハウジング９１に固定し、先端部側を凹部９０に向かって延出している。第３弾性アーム９４２は、第２固定アーム９４１と略平行に配置されている。連結脚９４３は、第２固定アーム９４１と第３弾性アーム９４２の基端部同士を連結している。
【００１１】
図１２を参照すると、連結脚９４３は、その一部がプリント基板９ｐの一方の面にハンダ接合している。又、図１３を参照すると、第１固定アーム９３１は、その一部がプリント基板９ｐの一方の面にハンダ接合している。すなわち、コネクタ９は、プリント基板９ｐの表面にハンダ接合される、表面実装型のコネクタである。
【００１２】
図１３を参照すると、カバー９２は、第１弾性アーム９３２の先端部側と回動自在に係合するカム部９２ｃを基端部に有している。又、図１２を参照すると、カバー９２は、第２固定アーム９４１の先端部側で押さえられる段差部９２ｄを基端部に有している。
【００１３】
図１３を参照すると、第２弾性アーム９３３は、接点９３ｓを先端部に形成している。接点９３ｓは、第１弾性アーム９３２の先端部に向かって突出している。図１３（Ｃ）に示すように、ハウジング９１に対してカバー９２を閉じた状態では、接点９３ｓは、ＦＰＣ９ｆの端末に露出された導体パターンに接触できる。
【００１４】
図１２を参照すると、第３弾性アーム９４２は、接点９４ｓを先端部に形成している。接点９４ｓは、第２固定アーム９４１の先端部に向かって突出している。第２固定アーム９４１と第３弾性アーム９４２の間にＦＰＣ９ｆを挿入し（図１３参照）、ハウジング９１に対してカバー９２を閉じた状態では、接点９４ｓは、ＦＰＣ９ｆの端末に露出された導体パターンに接触できる。
【００１５】
図１３を参照して、ＦＰＣ９ｆは、その幅方向に突出する一対の方形の突部９１ｆ・９１ｆを端末に備えている。一方、図１３（Ａ）を参照すると、ハウジング９１は、一対の突部９１ｆ・９１ｆをスライド自在に案内するガイド面９１１を凹部９０の手前側に形成している。ガイド面９１１は、凹部９０の底面より高くなっている。
【００１６】
図１３（Ｂ）を参照して、一対の突部９１ｆ・９１ｆがガイド面９１１を通過すると、ＦＰＣ９ｆの端末は、凹部９０の底面に向って降下する。図１３（Ｂ）に示した状態では、ＦＰＣ９ｆの端末は、凹部９０の底面に向って導入される。これにより、ＦＰＣ９ｆの幅方向の位置決めが容易になる。又、図１３（Ｂ）に示した状態では、一対の突部９１ｆ・９１ｆが段差面９１２に係止して、ＦＰＣ９ｆの引き抜きが困難になる。
【００１７】
図１３（Ａ）に示した状態から図１３（Ｂ）に至る過程では、ＦＰＣ９ｆを凹部９０の奥側に向かって押し続けると、ＦＰＣ９ｆの端末が上方に向かって湾曲するように撓む。ＦＰＣ９ｆが停止した感触を得たときに、ＦＰＣ９ｆを押す力を弱めると、ＦＰＣ９ｆの端末は、凹部９０の底面に向って降下できる。この場合、ＦＰＣ９ｆの端末の撓みが解消されて、一対の突部９１ｆ・９１ｆが段差面９１２に強くぶつかり、クリック音を発生することで、ＦＰＣ９ｆの装着を容易に認識できる。
【００１８】
このように、特許文献１によるコネクタ９は、ＦＰＣ９ｆの端末が凹部９０に落下したときに、クリック音を発生するので、ＦＰＣ９ｆの位置決めが達成されたことを容易に認識できる。
【００１９】
しかし、従来の開閉式のＦＰＣ用コネクタは、複数の板状のコンタクトを縦置きに配置しているので、プリント基板の実装高さを低くすることに制約がある。又、複数のコンタクトを保持するハウジング、及びカバーは、所定の厚さを必要としているので、プリント基板の実装高さを低くすることに制約がある。そして、これに起因して、携帯電話機又はパソコンなどの薄型化を困難としていた。
【００２０】
携帯電話機又はパソコンなどを薄型化するために、プリント基板への実装高さを低くする、いわゆる低背化したＦＰＣ用コネクタが求められていた。そして、以上のことが本発明の課題といってよい。
【００２１】
本発明は、このような課題に鑑みてなされたものであり、ＦＰＣとプリント基板を電気的に接続するＦＰＣ用コネクタであって、低背化したＦＰＣ用コネクタを提供することを目的とする。
【課題を解決するための手段】
【００２２】
本発明者らは、プリント基板に対してＦＰＣを水平方向から開閉式のコネクタに挿入する水平取付形コネクタに替えて、プリント基板に対してＦＰＣを垂直方向から平型の相手側コネクタに直結する垂直取付形コネクタの構造とすることで、ＦＰＣ用コネクタを低背化できると考え、これに基づいて、以下のような新たなＦＰＣ用コネクタを発明するに至った。
【００２３】
（１）  帯状に延びるＦＰＣの端末の一方の面に露出された複数の導体パターンをプリント基板の一方の面に向って略垂直方向に移動することで、前記プリント基板に実装された平板状の相手側コネクタと電気的に接続自在なＦＰＣ用コネクタであって、前記ＦＰＣの端末の一方の面と反対側の他方の面に主面部を固定した帯状の第１係合板を備え、前記第１係合板は、前記ＦＰＣの端末の幅方向に延び、前記他方の面から前記一方の面の方向に向って屈曲した一対の第１折り曲げ片を有し、一対の前記第１折り曲げ片は、前記相手側コネクタの両側面に係止自在な係止手段を有する、ＦＰＣ用コネクタ。
【００２４】
（２）  前記相手側コネクタは、一対の前記第１折り曲げ片がスライド自在なランスを両側面に有し、前記係止手段は、前記ランスが係合自在な矩形の開口で構成している（１）記載のＦＰＣ用コネクタ。
【００２５】
（３）  前記第１係合板は、ハンダ接合自在な金属板からなり、前記主面部は、前記ＦＰＣの他方の面に接着された複数の銅箔にハンダ接合されている（１）又は（２）記載のＦＰＣ用コネクタ。
【００２６】
（４）  帯状に延びるＦＰＣの端末の一方の面に露出された複数の導体パターンをプリント基板の一方の面に向って略垂直方向に移動することで、前記プリント基板に実装された平板状の相手側コネクタと電気的に接続自在なＦＰＣ用コネクタであって、前記ＦＰＣの端末の一方の面と反対側の他方の面に主面部を当接自在な帯状の第２係合板を備え、前記第２係合板は、前記主面部の板厚面に向って部分的に延びた後に、前記主面部に向かってＵ字状に反転し、前記ＦＰＣの端末を挟持する複数のクリップ片と、前記ＦＰＣの端末の幅方向に相反する向きに延び、互いに外側に湾曲した一対の第２折り曲げ片を有し、前記相手側コネクタは、一対の前記第２折り曲げ片に嵌合自在な突条を両側面に有する、ＦＰＣ用コネクタ。
【００２７】
（５）  帯状に延びるＦＰＣの端末の一方の面に露出された複数の導体パターンをプリント基板の一方の面に向って略垂直方向に移動することで、前記プリント基板に実装された平板状の相手側コネクタと電気的に接続自在なＦＰＣ用コネクタであって、前記ＦＰＣの端末の一方の面と反対側の他方の面に主面部を接着した第３係合板を備え、前記第３係合板は、前記ＦＰＣの端末の幅方向に相反する向きに延び、互いに外側に湾曲した一対の第３折り曲げ片を有し、前記相手側コネクタは、一対の前記第３折り曲げ片に嵌合自在な突条を両側面に有する、ＦＰＣ用コネクタ。
【００２８】
（６）  前記相手側コネクタは、基端部をハウジングに片持ち支持し、先端部が前記ＦＰＣの導体パターンに接触自在な板ばね状のコンタクトを有する（１）から（５）のいずれかに記載のＦＰＣ用コネクタ。
【発明の効果】
【００２９】
本発明によるＦＰＣ用コネクタは、ＦＰＣの端末に形成された複数の導体パターンをプリント基板に向って略垂直方向に移動することで、プリント基板に実装された平板状の相手側コネクタと電気的に接続でき、ＦＰＣの端末に取り付けた係合板を相手側コネクタにロックできるので、低背化できる。
【図面の簡単な説明】
【００３０】
【図１】本発明の第１実施形態によるＦＰＣ用コネクタの構成を示す斜視図である。
【図２】第１実施形態によるＦＰＣ用コネクタの構成を示す斜視図であり、ＦＰＣ用コネクタと相手側コネクタを対向配置した状態図である。
【図３】第１実施形態によるＦＰＣ用コネクタの構成を示す平面図である。
【図４】第１実施形態によるＦＰＣ用コネクタの構成を示す背面図である。
【図５】第１実施形態によるＦＰＣ用コネクタの構成を示す左側面図である。
【図６】第１実施形態によるＦＰＣ用コネクタの構成を示す斜視図であり、ＦＰＣ用コネクタをオモテ面側から観た状態図である。
【図７】第１実施形態によるＦＰＣ用コネクタの構成を示す斜視図であり、ＦＰＣ用コネクタをウラ面から観た状態図である。
【図８】第１実施形態によるＦＰＣ用コネクタと接続する相手側コネクタの斜視図である。
【図９】第１実施形態によるＦＰＣ用コネクタの構成を示す縦断面図であり、図３のＡ−Ａ矢視断面を拡大した図である。
【図１０】本発明の第２実施形態によるＦＰＣ用コネクタの構成を示す斜視図であり、ＦＰＣ用コネクタと相手側コネクタを対向配置した状態図である。
【図１１】本発明の第２実施形態によるＦＰＣ用コネクタの構成を示す斜視図であり、ＦＰＣ用コネクタと相手側コネクタを対向配置した状態図である。
【図１２】従来技術によるＦＰＣ用コネクタの縦断面図であり、図１２（Ａ）は、カバーを閉じた状態図、図１２（Ｂ）は、カバーを開いた状態図である。
【図１３】従来技術によるＦＰＣ用コネクタの縦断面図であり、図１３（Ａ）は、カバーを開いた状態でＦＰＣを挿入する途中の状態図、図１３（Ｂ）は、カバーを開いた状態でＦＰＣを挿入した状態図、図１３（Ｃ）は、ＦＰＣを挿入した後にカバーを閉じた状態図である。
【発明を実施するための形態】
【００３１】
以下、図面を参照して本発明を実施するための形態を説明する。
【００３２】
［第１実施形態］
（ＦＰＣ用コネクタの構成）
最初に、本発明の第１実施形態によるＦＰＣ用コネクタの構成を説明する。
【００３３】
図１は、本発明の第１実施形態によるＦＰＣ用コネクタの構成を示す斜視図である。図２は、第１実施形態によるＦＰＣ用コネクタの構成を示す斜視図であり、ＦＰＣ用コネクタと相手側コネクタを対向配置した状態図である。
【００３４】
図３は、第１実施形態によるＦＰＣ用コネクタの構成を示す平面図である。図４は、第１実施形態によるＦＰＣ用コネクタの構成を示す背面図である。図５は、第１実施形態によるＦＰＣ用コネクタの構成を示す左側面図である。
【００３５】
図６は、第１実施形態によるＦＰＣ用コネクタの構成を示す斜視図であり、ＦＰＣ用コネクタをオモテ面側から観た状態図である。図７は、第１実施形態によるＦＰＣ用コネクタの構成を示す斜視図であり、ＦＰＣ用コネクタをウラ面から観た状態図である。
【００３６】
図８は、第１実施形態によるＦＰＣ用コネクタと接続する相手側コネクタの斜視図である。図９は、第１実施形態によるＦＰＣ用コネクタの構成を示す縦断面図であり、図３のＡ−Ａ矢視断面を拡大した図である。
【００３７】
（全体構成）
図１から図７を参照すると、本発明の第１実施形態によるＦＰＣ用コネクタ（以下、コネクタと略称する）１０は、帯状の第１係合板２を備えている。第１係合板２は、その主面部２ｍをＦＰＣ１の端末の一方の面１１と反対側の他方の面１２に固定している。
【００３８】
図１から図７を参照すると、第１係合板２は、一対の第１折り曲げ片２１・２１を主面部２ｍの両側に備えている。一対の第１折り曲げ片２１・２１は、ＦＰＣ１の端末の幅方向に延び、他方の面１２から一方の面１１の方向に向って屈曲している。又、一対の第１折り曲げ片２１・２１は、相手側コネクタ３の両側面に係止自在な係止手段となる矩形の開口２１ｈを開口している。
【００３９】
図１から図７を参照して、帯状に延びるＦＰＣ１の端末の一方の面１１に露出された複数の導体パターン１１１・１１２（図７参照）をプリント基板９ｐの一方の面９１ｐに向って略垂直方向に移動することで（図２参照）、プリント基板９ｐに実装された平板状の相手側コネクタ３と電気的に接続できる。
【００４０】
図２又は図５及び図８を参照すると、相手側コネクタ３は、一対のランス３４ｒ・３４ｒを両側面に備えている。一対のランス３４ｒ・３４ｒは、相反する向きに配置されている。
【００４１】
図２を参照して、相手側コネクタ３に向かって、コネクタ１０を略垂直方向に移動すると、一対の第１折り曲げ片２１・２１がランス３４ｒ・３４ｒによってスライドしながら拡げられる。そして、ＦＰＣ１の端末の一方の面１１が相手側コネクタ３の表面に到達すると、ランス３４ｒが開口２１ｈに係合して、第１係合板２をロックできる。つまり、コネクタ１０を相手側コネクタ３にロックできる。
【００４２】
（第１係合板の構成）
次に、実施形態による第１係合板２の構成を説明する。図１から図７を参照すると、第１係合板２は、ハンダ接合自在な金属板で構成している。又、図１から図６を参照すると、第１係合板２は、スリットで区画された複数のハンダ接合片２２を主面部２ｍに備えている。
【００４３】
一方、図６を参照すると、ＦＰＣ１は、複数の銅箔１１３を他方の面１２に接着している。これらの銅箔１１３は、ハンダ接合片２２の対応する位置に配置されている。ハンダ接合片２２を銅箔１１３にハンダ接合することで、第１係合板２をＦＰＣ１の端末に固定できる。
【００４４】
（相手側コネクタの構成）
次に、第１実施形態による相手側コネクタ３の構成を説明する。図２又は図８及び図９を参照すると、相手側コネクタ３は、絶縁性を有する矩形のハウジング３１、一組の板ばね状の電源コンタクト３２・３２、及び、一組の板ばね状の信号コンタクト３３・３３を備えている。
【００４５】
図８又は図９を参照すると、電源コンタクト３２は、その基端部がハウジング３１に片持ち支持されている。又、電源コンタクト３２は、その先端部をＦＰＣ１の導体パターン１１１に接触できる（図７参照）。更に、電源コンタクト３２は、リード部３２ｒを基端部から延出している。リード部３２ｒは、プリント基板９ｐの一方の面９１ｐにハンダ接合できる（図２参照）。
【００４６】
同様に、図２又は図８を参照すると、信号コンタクト３３は、その基端部がハウジング３１に片持ち支持されている。又、信号コンタクト３３は、その先端部をＦＰＣ１の導体パターン１１２に接触できる（図７参照）。更に、信号コンタクト３３は、リード部３３ｒを基端部から延出している。リード部３３ｒは、プリント基板９ｐの一方の面９１ｐにハンダ接合できる（図２参照）。
【００４７】
図２又は図８を参照すると、相手側コネクタ３は、一対の補強タブ３４・３４をハウジング３１の両側面に配置している。補強タブ３４には、ランス３４ｒを形成している。補強タブ３４は、その底面側をプリント基板９ｐの一方の面９１ｐにハンダ接合できる（図２参照）。つまり、第１実施形態による相手側コネクタ３は、表面実装型のコネクタである。又、電源コンタクト３２、信号コンタクト３３、及び補強タブ３４は、ハウジング３１に一体成形されている。
【００４８】
（ＦＰＣ用コネクタの作用）
次に、第１実施形態によるコネクタ１０の動作を説明しながら、コネクタ１０の作用及び効果を説明する。
【００４９】
図１から図７を参照して、ＦＰＣ１の端末の一方の面１１に露出された複数の導体パターン１１１・１１２（図７参照）をプリント基板９ｐの一方の面９１ｐに向って略垂直方向に移動することで（図２参照）、プリント基板９ｐに実装された相手側コネクタ３に設けた電源コンタクト３２及び信号コンタクト３３と電気的に接続できる。
【００５０】
図２を参照して、相手側コネクタ３に向かって、コネクタ１０を略垂直方向に移動すると、一対の第１折り曲げ片２１・２１がランス３４ｒ・３４ｒによってスライドしながら拡げることができる。そして、ＦＰＣ１の端末の一方の面１１が相手側コネクタ３の表面に到達すると、ランス３４ｒが開口２１ｈに係合して、第１係合板２をロックできる。つまり、コネクタ１０を相手側コネクタ３に直結できる。
【００５１】
第１実施形態によるコネクタ１０は、従来の開閉式のＦＰＣ用コネクタのように、複数の板状のコンタクトを縦置きに配置しておらず、プリント基板９ｐの実装高さＨを低くすることができる（図９参照）。
【００５２】
又、第１実施形態によるコネクタ１０は、ＦＰＣ１を相手側コネクタ３に直結できるので、従来のようにカバーを開閉する動作を省略できるメリットがある。更に、第１実施形態によるコネクタ１０は、第１係合板２を金属板で構成することで、相手側コネクタ３をシールドする効果を期待できる。
【００５３】
［第２実施形態］
（ＦＰＣ用コネクタの構成）
次に、本発明の第２実施形態によるＦＰＣ用コネクタの構成を説明する。図１０は、本発明の第２実施形態によるＦＰＣ用コネクタの構成を示す斜視図であり、ＦＰＣ用コネクタと相手側コネクタを対向配置した状態図である。なお、第１実施形態で使用した符号と同じ符号を付した構成品は、その作用を同一にするので説明を省略することがある。
【００５４】
図１０を参照すると、本発明の第２実施形態によるコネクタ２０は、帯状の第２係合板４を備えている。第２係合板４は、その主面部４ｍをＦＰＣ１の端末の一方の面１１と反対側の他方の面１２に当接している。第２係合板４は、金属板で構成することが好ましい。
【００５５】
図１０を参照すると、第２係合板４は、複数のクリップ片４１と一対の第２折り曲げ片４２・４２を備えている。クリップ片４１は、主面部４ｍの板厚面に向って部分的に延びた後に、主面部４ｍに向かってＵ字状に反転している。
【００５６】
図１０を参照すると、一方のクリップ片４１は、ＦＰＣ１の端縁に係止している。一方のクリップ片４１は、組み立て時に塑性変形することが好ましい。他方の一対のクリップ片４１・４１は、一方のクリップ片４１に向かって反転している。又、他方の一対のクリップ片４１・４１は、ＦＰＣ１の幅方向に切り欠いたスリットに嵌合している。これらのクリップ片４１の配置により、第２係合板４をＦＰＣ１の端末に固定できる。
【００５７】
図１０を参照すると、一対の第２折り曲げ片４２・４２は、ＦＰＣ１の端末の幅方向に相反する向きに延びている。又、一対の第２折り曲げ片４２・４２は、互いに外側に湾曲している。
【００５８】
図１０を参照すると、相手側コネクタ５は、一対の突条５１ｅ・５１ｅを両側面に備えている。一対の突条５１ｅ・５１ｅは互いに外側に湾曲している。一対の突条５１ｅ・５１ｅは、一対の第２折り曲げ片４２・４２に嵌合できる。
【００５９】
図１０を参照して、相手側コネクタ５に向かって、コネクタ２０を略垂直方向に移動すると、一対の第２折り曲げ片４２・４２が一対の突条５１ｅ・５１ｅによってスライドしながら拡げられる。そして、ＦＰＣ１の端末の一方の面１１が相手側コネクタ５の表面に到達すると、突条５１ｅが第２折り曲げ片４２に嵌合して、第２係合板４をロックできる。つまり、コネクタ２０を相手側コネクタ５にロックできる。
【００６０】
（相手側コネクタの構成）
次に、第２実施形態による相手側コネクタ５の構成を説明する。図１０を参照すると、相手側コネクタ５は、絶縁性を有する矩形のハウジング３１、一組の板ばね状の電源コンタクト３２・３２、及び、一組の板ばね状の信号コンタクト３３・３３を備えている。
【００６１】
図１０を参照すると、電源コンタクト３２は、その基端部がハウジング３１に片持ち支持されている。又、電源コンタクト３２は、その先端部をＦＰＣ１の導体パターン１１１に接触できる（図７参照）。更に、電源コンタクト３２は、リード部３２ｒを基端部から延出している。リード部３２ｒは、プリント基板９ｐの一方の面９１ｐにハンダ接合できる（図２参照）。
【００６２】
同様に、図１０を参照すると、信号コンタクト３３は、その基端部がハウジング３１に片持ち支持されている。又、信号コンタクト３３は、その先端部をＦＰＣ１の導体パターン１１２に接触できる（図７参照）。更に、信号コンタクト３３は、リード部３３ｒを基端部から延出している。リード部３３ｒは、プリント基板９ｐの一方の面９１ｐにハンダ接合できる（図２参照）。
【００６３】
図１０を参照すると、相手側コネクタ５は、一対の補強タブ５１・５１をハウジング３１の両側面に配置している。補強タブ５１には、突条５１ｅを形成している。補強タブ５１は、その底面側をプリント基板９ｐの一方の面９１ｐにハンダ接合できる（図２参照）。つまり、第２実施形態による相手側コネクタ５は、表面実装型のコネクタである。又、電源コンタクト３２、信号コンタクト３３、及び補強タブ５１は、ハウジング３１に一体成形されている。
【００６４】
（ＦＰＣ用コネクタの作用）
次に、第２実施形態によるコネクタ２０の動作を説明しながら、コネクタ２０の作用及び効果を説明する。
【００６５】
図７を参照して、ＦＰＣ１の端末の一方の面１１に露出された複数の導体パターン１１１・１１２をプリント基板９ｐの一方の面９１ｐに向って略垂直方向に移動することで（図２参照）、プリント基板９ｐに実装された相手側コネクタ５に設けた電源コンタクト３２及び信号コンタクト３３と電気的に接続できる（図１０参照）。
【００６６】
図１０を参照して、相手側コネクタ５に向かって、コネクタ２０を略垂直方向に移動すると、一対の第２折り曲げ片４２・４２が突条５１ｅ・５１ｅによってスライドしながら拡げることができる。そして、ＦＰＣ１の端末の一方の面１１が相手側コネクタ５の表面に到達すると、突条５１ｅが第２折り曲げ片４２に嵌合して、第２係合板４をロックできる。つまり、コネクタ２０を相手側コネクタ５に直結できる。
【００６７】
第２実施形態によるコネクタ２０は、第１実施形態によるコネクタ１０と同様な効果を奏するが、係合板をＦＰＣ１の他方の面１２にハンダ接合する工程を省略できる、という特別な効果がある。
【００６８】
又、第２実施形態によるコネクタ２０は、ＦＰＣ１を相手側コネクタ３に直結できるので、従来のようにカバーを開閉する動作を省略できるメリットがある。更に、第２実施形態によるコネクタ２０は、第２係合板４を金属板で構成することで、相手側コネクタ５をシールドする効果を期待できる。
【００６９】
［第３実施形態］
（ＦＰＣ用コネクタの構成）
次に、本発明の第３実施形態によるＦＰＣ用コネクタの構成を説明する。図１１は、本発明の第２実施形態によるＦＰＣ用コネクタの構成を示す斜視図であり、ＦＰＣ用コネクタと相手側コネクタを対向配置した状態図である。なお、第１及び第２実施形態で使用した符号と同じ符号を付した構成品は、その作用を同一にするので説明を省略することがある。
【００７０】
図１１を参照すると、本発明の第３実施形態によるコネクタ３０は、帯状の第３係合板６を備えている。第３係合板６は、その主面部６ｍをＦＰＣ１の端末の一方の面１１と反対側の他方の面１２に接着している。第３係合板６は、金属板で構成してもよく、合成樹脂板で構成することもできる。
【００７１】
図１１を参照すると、第３係合板６は、一対の第３折り曲げ片６２・６２を備えている。一対の第３折り曲げ片６２・６２は、ＦＰＣ１の端末の幅方向に相反する向きに延びている。又、一対の第３折り曲げ片６２・６２は、互いに外側に湾曲している。
【００７２】
図１１を参照すると、相手側コネクタ５は、一対の突条５１ｅ・５１ｅを両側面に備えている。一対の突条５１ｅ・５１ｅは互いに外側に湾曲している。一対の突条５１ｅ・５１ｅは、一対の第３折り曲げ片６２・６２に嵌合できる。
【００７３】
図１０と図１１を対比すると、一対の第２折り曲げ片４２・４２と一対の第３折り曲げ片６２・６２は、それらの形状を同一にしているが、説明の便宜上、順序数と符号を変えて区別した。
【００７４】
図１１を参照して、相手側コネクタ５に向かって、コネクタ３０を略垂直方向に移動すると、一対の第３折り曲げ片６２・６２が一対の突条５１ｅ・５１ｅによってスライドしながら拡げられる。そして、ＦＰＣ１の端末の一方の面１１が相手側コネクタ５の表面に到達すると、突条５１ｅが第３折り曲げ片６２に嵌合して、第３係合板６をロックできる。つまり、コネクタ３０を相手側コネクタ５にロックできる。なお、第３実施形態による相手側コネクタは、第２実施形態による相手側コネクタ５と同じであるで、説明を省略する。
【００７５】
（ＦＰＣ用コネクタの作用）
次に、第３実施形態によるコネクタ３０の動作を説明しながら、コネクタ３０の作用及び効果を説明する。
【００７６】
図７を参照して、ＦＰＣ１の端末の一方の面１１に露出された複数の導体パターン１１１・１１２をプリント基板９ｐの一方の面９１ｐに向って略垂直方向に移動することで（図２参照）、プリント基板９ｐに実装された相手側コネクタ５に設けた電源コンタクト３２及び信号コンタクト３３と電気的に接続できる（図１１参照）。
【００７７】
図１１を参照して、相手側コネクタ５に向かって、コネクタ３０を略垂直方向に移動すると、一対の第３折り曲げ片６２・６２が突条５１ｅ・５１ｅによってスライドしながら拡げることができる。そして、ＦＰＣ１の端末の一方の面１１が相手側コネクタ５の表面に到達すると、突条５１ｅが第３折り曲げ片６２に嵌合して、第３係合板６をロックできる。つまり、コネクタ３０を相手側コネクタ５に直結できる。
【００７８】
第３実施形態によるコネクタ３０は、第１及び第２実施形態によるコネクタ１０・２０と同様な効果を奏するが、第３係合板６を合成樹脂で構成することで、ＦＰＣ１の剛性を担保する補強板として、第３係合板６を利用できる、という特別な効果がある。
【００７９】
本発明によるＦＰＣ用コネクタは、例えば、ＦＰＣの他方の端末を携帯電話機に内蔵したバッテリと電気的に接続でき、導体パターン１１１を介して（図７参照）、バッテリからプリント基板に電流をできる。又、本発明によるＦＰＣ用コネクタは、導体パターン１１２を介して（図７参照）、バッテリとプリント基板間に信号を送受できる。
【００８０】
本発明によるＦＰＣ用コネクタは、第１から第３実施形態を開示したが、第１実施形態に設けた一対の第１折り曲げ片２１・２１（図１参照）を、第２実施形態による第２係合板４の両端部に設けることができ（図１０参照）、第３実施形態による第３係合板６の両端部に設けることができる（図１１参照）。
【００８１】
又、本発明によるＦＰＣ用コネクタは、第２実施形態に設けた一対の第２折り曲げ片４２・４２（図１０参照）を、第１実施形態による第１係合板２の両端部に設けることができ（図１参照）、種々の組み合わせと変形が可能である。
【符号の説明】
【００８２】
１  ＦＰＣ
２  第１係合板
２ｍ  主面部
３  相手側コネクタ
９ｐ  プリント基板
１０  コネクタ（ＦＰＣ用コネクタ）
１１  ＦＰＣの一方の面
１２  ＦＰＣの他方の面
２１・２１  一対の第１折り曲げ片
２１ｈ  開口（係止手段）
１１１・１１２  導体パターン
【図１】
2016134265.tif 000003
【図２】
2016134265.tif 000004
【図３】
2016134265.tif 000005
【図４】
2016134265.tif 000006
【図５】
2016134265.tif 000007
【図６】
2016134265.tif 000008
【図７】
2016134265.tif 000009
【図８】
2016134265.tif 000010
【図９】
2016134265.tif 000011
【図１０】
2016134265.tif 000012
【図１１】
2016134265.tif 000013
【図１２】
2016134265.tif 000014
【図１３】
2016134265.tif 000015